(57)【要約】      （修正有）【課題】ウォッブルヘッダ領域の劣化を防止する記録方法を提供する。【解決手段】ウォッブル信号が記録されたウォッブルトラック領域と、ウォッブルヘッダ領域とを含む光記録媒体にデータを記録する方法において、前記ウォッブルトラック領域には記録パワーＰｗで記録し、前記ウォッブルヘッダ領域は前記記録パワーＰｗより所定値だけ低い通過パワーで通過させる。【選択図】図１０
2005122882.tif 000002
【特許請求の範囲】
【請求項１】
ウォッブル信号が記録されたウォッブルトラックと、ヘッダ情報が載せられたウォッブルヘッダ信号と、所定のマークがランドまたはグルーブに記録されたウォッブルヘッダトラックとを含む光記録媒体にデータを記録する方法において、
(a) 前記ウォッブルトラックに記録パワーでデータを記録する段階と、
(b) 前記ウォッブルヘッダトラックのランドまたはグルーブに記録パワーでマークを記録する段階とを含み、さらに、
(c) 前記ウォッブルトラックに前記記録パワーでデータを記録し、前記ウォッブルヘッダトラックは前記記録パワーより所定値だけ低い通過パワーで通過する段階と、
を含むことを特徴とする記録方法。
【請求項２】
前記(b)段階は少なくとも一部区間に前記マークが一定の間隔で記録する段階を含むことを特徴とする請求項１に記載の記録方法。
【請求項３】
前記(b)段階は少なくとも一部区間に前記マークが一定の大きさと一定の間隔で記録する段階を含むことを特徴とする請求項２に記載の記録方法。
【発明の詳細な説明】
【技術分野】
【０００１】
本発明は光記録媒体に係り、特にウォッブル信号が記録されたウォッブルトラックを備えて前記ウォッブルトラックに使用者データを記録しうる光記録媒体、そのデータ記録装置及び記録方法に関する。
【背景技術】
【０００２】
光記録媒体はヘッダ情報が貯蔵されるヘッダ領域と使用者データが記録される使用者データ領域とを具備する。２.６GBまたは４.７GB DVD-RAMの場合、セクタ当り１２８bytesのヘッダ情報を有し、ヘッダ情報はディスク基板を製造する時プリピット(pre-pit)で記録される。DVD-RAM規格書によれば、基板の製造時にプリピットで構成されているヘッダ領域はPLL(Phase Locked Loop)のためのVFO(Variable Frequency Oscillator)領域、セクタ番号が付与されているPID(PhysicalIdentification Data)領域、IDエラー検出情報を貯蔵するIED(ID Error Detection)領域等で構成される。凹凸型プリピットが形成されているヘッダ領域はセクタの既定の領域に配置され、記録/再生装置に備えられたピックアップ装置はヘッダ領域に記録された情報を通じて所望の位置に容易に探索できることになる。ヘッダ領域に記録された情報を通じてピックアップ装置はセクタ番号、セクタタイプ、ランドトラック/グルーブトラックなどを認識し、サーボ制御もできる。
【０００３】
マルチメディアの使用が迅速に普及するにつれてDVD(Digital Versatile Disc)など光記録媒体にさらに多くの情報を記録するための多様な方法が提案されている。例えば、使用者データを記録しうる使用者データ領域をさらに広げたり、記録/再生用レーザーの波長を縮めたり、トラックピッチを減らしたりすることなどである。
【０００４】
図１は従来の光ディスクの概略図である。図１を参照すれば、光ディスクには使用者データが記録される使用者データ領域のランドトラック及びグルーブトラックが形成されており、ヘッダ情報がプリピットで記録されるヘッダ領域３が配置されている。
【０００５】
図２Ａ〜図２Ｄは従来の光ディスクのヘッダ領域の多様な例である。図２Ａを参照すれば、ヘッダ情報を記録するためのプリピットがランドトラック及びグルーブトラックの中心に位置している。すなわち、各トラックにプリピットが各々割当てられている構造を有する。このような構造によれば、トラックとプリピットとが同じ円周上に位置するのでウォッブル信号を記録すると同時にヘッダ情報を記録しうる利点がある。しかし、記録密度を高めるためにトラックの密度を高めるとヘッダ情報を再生するにあたってクロストーク(cross-talk)が生じる短所がある。
【０００６】
図２Ｂはプリピットがランドトラックとグルーブトラックの境界に位置している。このような構造によればトラックの密度を高めても図２Ａのようなクロストークが生じにくく、プリピットを記録するための領域がさらに広くなるのでピットの幅をさらに広げられる。すなわち、図２Ｂは信号再生の観点からさらに望ましい構造であると言える。しかし、プリピットがランドとグルーブとの境界に位置するので記録/再生時ピックアップ装置のトラッキングオフセットに脆弱な短所を有する。
【０００７】
図２Ｃはプリピットがランドトラックとグルーブトラックとの中央に相互隣接しないように交互に位置している。したがって、トラックの密度を高めても隣接したトラック間にクロストークが生じる可能性が非常に低い。一方、プリピットがトラックの中央に位置することでトラッキング誤差に鈍くなって敏捷なサーボ制御を行いにくい。
【０００８】
図２Ｄは現在DVD-RAMで使われている構造であって、プリピットがランドトラックとグルーブトラックとの境界に相互隣接しないように交互に位置している。これによれば、クロストークを減らせ、敏捷なサーボ制御が可能となる。しかし、プリピットが交互に位置するために製造しにくく、よってヘッダ領域を構成する各部分の信号特性が一致しない場合が生じうる。
【０００９】
現在DVD-RAMでヘッダ領域が占める比率はセクタ当り０〜５％に至る。このようなオーバーヘッドを最小化することによって使用者データ領域を広げるためにデータ記録面が２つである二重層構造を使用する。しかし、二重層構造は、上層へのデータの記録時に、下層の物理的形状(geometry)によって記録パワーが影響を与えられる問題点がある。
【００１０】
改善方向を導き出すために、二重層構造において従来のプリピットで記録されたヘッダ領域の物理的な形状が記録パワーに与える影響をシミュレーションすると同時に実測した。
【００１１】
反射光量をシミュレーションするために、図３Ａ乃至図３Ｄに各々示されたようにミラー基板、グルーブ領域、ピット領域、マークされたグルーブ領域に対して各々反射光量を計算した。但し、二重層構造において下層L０と上層L１との間に位置した空間層の効果を考慮してレンズに３０μmの曲率を与えた。また、計算時L０においてレンズを通過したレーザービームに捕えられるトラック数を考慮した。
【００１２】
反射光量を実測するために図４Ａ乃至図４Ｃに各々示すような条件に従った。ここで、L０は下層を、L１は上層を示す。L１の下部には反射膜ｌが形成されている。図４Ａはガラス基板の所定領域に、図４Ｂはピット領域に、図４Ｃはグルーブ領域(マークされていない)に対してレーザービームが各々フォーカシングされている。
【００１３】
図５は図３及び図４による結果を示すグラフである。シミュレーションによる計算において、トラックピッチは図２Ａのような構造まで考慮するために２倍に計算した。また、マークされたグルーブ領域はマーク部分とランド/グルーブ部分との反射率の差だけ考慮し、マーク部分において非晶質状態と結晶質状態との吸収率の差による透過率の差は考慮しなかった。
【００１４】
次は入力パラメータ及び実験のための値を示したものである。
【００１５】
【表１】
2005122882.tif 000003
【００１６】
【表２】
2005122882.tif 000004
【００１７】
シミュレーションの結果によれば、透過量はミラー基板で最も高く、ピット領域、グルーブ領域の順に減少量が増加する。ピット領域ではトラックピッチによって４〜７.５％減少する一方、グルーブ領域では７.５％〜２８.５％まで減少する。
【００１８】
実測において、ピット領域の場合０.３７μmのトラックピッチで測定し、０〜４％の光量減少があった。グルーブ領域の場合、計算結果に比べて測定値の減少が少なく示された。このような現象はシミュレーションでは側壁角を９０°に仮定したが、実際の側壁角は０〜６０°として３％ほど光量が大きく測定されるからであると推定される。
【００１９】
ピット領域とグルーブ領域ではトラックピッチが小さくなるほど透過光量が少なくなる。トラックピッチ０.３８μm(実際０.３８μm×２)を基準として０.３４μm(実際０.３４μm×２)で０〜４％減少された測定値を得た。しかし、図２Ｄのように交互のヘッダ領域を有する場合に減少量はさらに少なくなると推定される。グルーブ領域の場合、トラックピッチが各々０.３４μmと０.３０μmの時、各々９.５％及び２２％の光量減少があり、トラックピッチが０.３４μmの場合に測定値は計算結果に比べて７.５％減少されるものと示された。
【００２０】
結論的に、トラックピッチが０.３０μm、対物レンズの開口数０.８５である場合にグルーブ領域において下層L０に比べて上層L１が記録パワーが２０％以上さらに必要なのを予想しうる。すなわち、プリピットによるヘッダ領域は高密度記録に適さないだけでなく、二重層構造において上層へのデータ記録時に記録パワーに影響を与えるものと示された。
【発明の開示】
【発明が解決しようとする課題】
【００２１】
したがって、本発明の目的は記録パワーに影響を与えない物理的な形状を有する光記録媒体、そのデータ記録装置及び記録方法を提供することである。
【００２２】
本発明の他の目的は、繰り返し記録してもヘッダ領域の劣化が防止されうる光記録媒体、そのデータ記録装置及び記録方法を提供することである。
【００２３】
前記目的は、本発明に係る光記録媒体において、ウォッブル信号が記録されたウォッブルトラックと、ヘッダ情報が載せられたウォッブルヘッダ信号と、所定のマークが記録されたウォッブルヘッダトラックとを備えることを特徴とする光記録媒体により達成される。
【課題を解決するための手段】
【００２４】
前記マークは前記ウォッブルトラックのランドまたはグルーブに記録され、前記マークは相変化を通じて表示されることが望ましい。また、前記マークは一定の大きさを有し、一定の間隔を通じて配列されて後続するウォッブルトラックに対するシンクデータの役割を行うことがさらに望ましい。
【００２５】
前記ウォッブルヘッダトラックと前記ウォッブルトラックとは交互に位置し、使用者データを記録するための使用者データ領域であって、ランドトラック及び/またはグルーブトラックを含む。
【００２６】
前記ウォッブル信号は単一周波数を有することが望ましい。前記ウォッブルヘッダ信号は前記ウォッブル信号より高い周波数を有し、前記ヘッダ情報が載せられた２進データを変調したものが望ましい。前記変調方式はQPSK(Quadrature Phase Shift Keying)であることがさらに望ましい。
【００２７】
一方、本発明の他の分野によれば、ウォッブル信号が記録されたウォッブルトラックと、ヘッダ情報が載せられたウォッブルヘッダ信号と、所定のマークがランドまたはグルーブに記録されたウォッブルヘッダトラックとを含むことを特徴とする光記録媒体にデータを記録する方法において、(a) 前記ウォッブルトラックに記録パワーでデータを記録する段階と、(b)前記ウォッブルヘッダトラックのランドまたはグルーブに所定のパワーでマークを記録する段階とを含むことを特徴とする記録方法によっても達成される。
【００２８】
前記(b)段階は少なくとも一部区間に前記マークが一定の間隔に表示されるように記録することが望ましく、少なくとも一部区間に前記マークが一定の大きさと一定の間隔に表示されるように記録することがさらに望ましい。
【００２９】
前記記録方法は、(c) 前記ウォッブルトラックに前記記録パワーでデータを記録し、前記ウォッブルヘッダトラックは前記記録パワーより所定値だけ低い通過パワーで通過する段階をさらに含むことがより望ましい。
【００３０】
一方、本発明の他の分野によれば、前記目的はウォッブル信号が記録されたウォッブルトラックと、ヘッダ情報が載せられたウォッブルヘッダ信号と、所定のマークがランドまたはグルーブに記録されたウォッブルヘッダトラックとを含むことを特徴とする記録媒体にデータを記録する装置において、前記光記録媒体にデータを記録するための記録部と、前記ウォッブルトラックに記録パワーでデータを記録し、前記記録パワーより所定値だけ低い通過パワーで前記ウォッブルヘッダトラックを通過するように前記記録部を制御する制御部とを含むことを特徴とする記録装置によっても達成される。
【００３１】
前記記録部はレーザーを生じるレーザー発生部と、前記レーザー発生部から生じたレーザーを光信号に変調するEO変調部と、前記EO変調部から出力された光信号を使用して前記データを記録する光記録部とを含むことが望ましい。
【００３２】
また、前記目的はウォッブル信号が記録されたウォッブルトラックと、ヘッダ情報が載せられたウォッブルヘッダ信号が記録されたウォッブルヘッダトラックを含むことを特徴とする記録媒体にデータを記録する装置において、前記光記録媒体にデータを記録するための記録部と、前記ウォッブルトラックにデータを記録し、前記ウォッブルヘッダトラックのランドまたはグルーブにマークを記録するように前記記録部を制御する制御部とを含むことを特徴とする記録装置によっても達成される。
【００３３】
前記制御部は前記記録部を制御して少なくとも一部区間に前記マークを一定の間隔に表示することが望ましい。また、前記制御部は前記ウォッブルトラックに前記記録パワーでデータを記録し、前記ウォッブルヘッダトラックは所定の通過パワーで通過するように前記記録部を制御することがさらに望ましい。
【発明を実施するための最良の形態】
【００３４】
以下、添付した図面に基づいて本発明の望ましい実施形態を詳細に説明する。図６は本発明の望ましい実施形態に係る記録装置のブロック図である。図６を参照すれば、本実施形態に係る記録装置６は制御部６０、レーザー発生部６１、EO(Electro-Optical)変調部６２及び光記録/検出部６３を具備する。
【００３５】
制御部６０はレーザー発生部６１、EO変調部６２及び光記録/検出部６３を適切に制御して光ディスク１０の使用者データ領域に使用者データを記録したり、ヘッダ領域にマークを形成したりする。また、光ディスク１０のリードイン領域または制御情報が記録される領域からヘッダ領域にマークが表示されているか否かを確認してマークが形成された場合、使用者データの記録時光記録/検出部６３がヘッダ領域を所定の通過パワーで通過するように制御する。マークが表示されていない場合、制御部６０は光記録/検出部６３を制御してヘッダ領域のランドまたはグルーブにマークを記録する。
【００３６】
レーザー発生部６１はレーザーを発振し、該発振されたレーザーから雑音を低下させて記録パワーを安定化させる。記録用レーザーとしては青色レーザーまたは紫外線レーザーを使用しうる。紫外線レーザーとしてはほぼArイオンレーザーやKrレーザーが使われる。
【００３７】
EO変調部６２は必要な場合、透過パワーを変調した後、レーザービームの直径を拡大させて光記録/検出部６３に備えられた対物レンズ(図示せず)の開口に完全に入射させる。光記録/検出部６３はレーザービームの最狭幅を使用して光ディスク１０にデータを記録する。
【００３８】
また、光記録/検出部６３は使用者データ領域またはヘッダ領域を検出する。光記録/検出部６３によるヘッダ領域の検出は多様な方法で行われうる。例えば、ヘッダ領域に隣接したウォッブルトラックの一定の区間に位相変調されたウォッブル変調信号を記録し、記録されたウォッブル変調信号を検出する方法を通じてヘッダ領域を知らせるフラッグの役割をするようにしてヘッダ領域を検出しうる。ヘッダ領域に記録されたウォッブル変調信号はウォッブル信号を位相変調(BPSK:Binary-Phase Shift Keying)された信号としうる。他の例として、ヘッダ領域に隣接したウォッブルトラックの一定の区間にウォッブル信号が記録されていないミラー区間を形成することによってヘッダ領域を検出しうる。その他、従来のヘッダ領域を検出するために使われた方法のうち、本発明による光記録媒体に適用可能なヘッダ領域検出方法が適用されうることはもちろんである。
【００３９】
図７は本発明の望ましい実施形態に係る光ディスクの概略図である。図７を参照すれば、本実施形態に係る光ディスク１０には記録用レーザービームを正確に追従させるためのトラッキング手段としてトラックに沿ってグルーブが形成されている。グルーブの間には基板面に該当するランドが存在する。
【００４０】
グルーブトラック及び/またはランドトラックには振幅方向の変化を利用して特定周波数の信号であるウォッブル信号が記録される。ウォッブル信号は記録/再生時に同期情報を得るための補助クロック信号を記録する手段となる。すなわち、ウォッブル信号は振幅変化量を通じてシステムクロックを補助する補助信号として使われ、よって記録/再生装置に備えられたトラッキングサーボメカニズムに影響を与えない帯域の周波数を有する。使用者データはグルーブトラック及び/またはランドトラックに記録される。トラックは複数のセクタに分割されて管理される。
【００４１】
一方、各セクタに対応されるようにヘッダ領域７がトラックに配置される。ヘッダ領域７にはヘッダ情報が記録されている。ヘッダ情報は光ディスクのセクタ情報とセクタの識別情報のアドレス情報とを含む。
【００４２】
図８は図７の一実施形態に係る部分詳細図である。図８を参照すれば、グルーブトラックとランドトラックには単一周波数を有するシングルウォッブル信号が記録されている。グルーブトラックとランドトラックにはオーバーライト可能な相変化膜が形成されているので使用者データが記録される場合、相変化を通じてマークが表示される。ヘッダ領域には隣接した使用者データ領域のグルーブトラックとランドトラックに連続してトラックが形成されている。トラックにはヘッダ情報が載せられたウォッブルヘッダ信号が記録されている。区別するために、使用者データ領域に備えられたグルーブトラックとランドトラックとはウォッブルトラックと称し、ヘッダ領域に備えられたトラックはウォッブルヘッダトラックと称する。
【００４３】
ウォッブルヘッダトラックに記録されたウォッブルヘッダ信号には多様なヘッダ情報が載せられているのでウォッブルヘッダ信号はウォッブルトラックに記録されたウォッブル信号のそれに比べて高い周波数を有する高周波信号である。ここで、ウォッブルヘッダ信号はバイ-フェーズ モジュレーションよりなる信号であって、各キャリアの位相を９０°ずつずらすように変調してQPSKされた信号である。
【００４４】
本発明に係る光記録媒体のヘッダ領域にはウォッブルヘッダ信号が記録されたウォッブルヘッダトラックとして形成されることによって従来のプリピットが記録されたヘッダ領域に比べて物理的な形状がさらに均一である。したがって、二重層構造を有する場合、上層へのデータ記録時、従来図３ないし図５を参照して説明した反射光量の減少がほとんど示されない。
【００４５】
前述したような構成によって本発明の一実施形態に係るデータ記録方法を説明すれば次の通りである。
【００４６】
図９は本発明に係るデータ記録方法を説明するためのフローチャートである。本発明によってデータが記録される光記録媒体は図７及び図８を参照して説明した光ディスクである。ここでのデータは光記録媒体の使用者データ領域に記録される使用者データを意味する。
【００４７】
図９を参照すれば、制御部６０は使用者データ領域で光記録/検出部６３が所定の記録パワーでウォッブルトラックにデータを記録するように制御し、これにより所定の記録パワーによりデータが記録される(第９０１段階)。制御部６０は光記録/検出部６３からヘッダ領域が検出されると記録パワーを再生パワーに低めるように制御し、これにより、光記録/検出部６３は再生パワーでデータを記録せずヘッダ領域を通過する(第９０２段階)。すなわち、通過パワーは再生パワーとなる。ここで、通過パワーは記録パワーより低い値のうち必要に応じて多様に選択されうる。
【００４８】
図１０（ａ），図１０（ｂ）は図９に開示された記録方法による記録パワーと通過パワーとの関係を説明するための参考図である。
【００４９】
図１０（ａ），図１０（ｂ）を参照すれば、使用者データ領域に形成されたウォッブルトラックには低周波のシングルウォッブル信号が記録されており、ヘッダ領域に形成されたウォッブルヘッダトラックには高周波のウォッブルヘッダ信号が記録されている。記録パワーPwは記録装置６が使用者データ領域にデータを記録する時(マークの形成時)の光記録/読出部６３からの出力であり、記録装置がヘッダ領域を通過する時に光記録/読出部６３から出力される通過パワーPrは記録パワーPwより低い再生パワーと同一であることがわかる。このように、ヘッダ情報が載せられたウォッブルヘッダ信号が記録されたヘッダ領域を通過する時、記録パワーPwを再生パワーPrに低めることによって何回も反復記録してもヘッダ領域のウォッブルヘッダトラックに相変化を起こさいことでウォッブルヘッダ信号の劣化を防止しうる。ここで、再生パワーPrの代わりに必要に応じて記録パワーより所定の値だけ低いパワーに変更することが可能である。しかし、再生パワーPrを使用すれば記録/再生装置の場合に調節すべきパワーのレベルが記録パワーPw及び再生パワーPrの２つのモードで良いのでさらに制御が容易である。
【００５０】
図１１は図７の他の実施形態による部分詳細図である。図１１を参照すれば、グルーブトラックとランドトラックには単一周波数を有するシングルウォッブル信号が記録されている。グルーブトラックとランドトラックにはオーバーライト可能な相変化膜が形成されているので使用者データが記録される場合に相変化を通じてマークが表示される。ヘッダ領域には隣接した使用者データ領域のグルーブトラックとランドトラックに連続してトラックが形成されている。トラックにはヘッダ情報が載せられたウォッブルヘッダ信号が記録されている。ウォッブルヘッダトラックに記録されたウォッブルヘッダ信号には多様なヘッダ情報が載せられているので、ウォッブルヘッダ信号はウォッブルトラックに記録されたウォッブル信号のそれに比べて高い周波数を有する高周波信号である。ここで、ウォッブルヘッダ信号はバイ-フェーズ モジュレーションされた信号であって、各キャリアの位相を９０°ずつずらすように変調してQPSKされた信号である。
【００５１】
あわせて、ヘッダ領域に含まれたトラックのランドまたはグルーブにはマークが記録されている。マークは相変化を通じて表示される。ヘッダ領域に含まれてトラックの少なくとも一部区間に一定の大きさのマークを一定の間隔に表示する場合、続くランドトラックまたはグルーブトラック(使用者データ領域)の開始を知らせるシンクデータの役割も可能となる。
【００５２】
本実施形態に係る光記録媒体のヘッダ領域にはウォッブルヘッダ信号が記録されたウォッブルヘッダトラックとして形成されているだけでなく、トラックのランドまたはグルーブにはマークが記録されていて使用者データ領域と物理的な形状がさらに類似しており、よって光ディスク全体の物理的な形状がさらに均一となる。これにより、二重層構造を有する場合、上層にデータを記録する場合にも反射光量の減少がさらに減る。
【００５３】
前述したような構成によって本発明の他の実施形態に係るデータ記録方法を説明すれば次の通りである。
【００５４】
図１２は本実施形態に係るデータ記録方法を説明するためのフローチャートである。ここで、データが記録される光記録媒体はマーク(図１１)を表示されていてもよく、あるいは表示されていなくてもよい。
【００５５】
図１２を参照すれば、制御部６０はまず光ディスク１０のヘッダ領域にマークの形成有無を確認する(第１２０１段階)。実際に、光ディスク１０のオーサリング過程でリードイン領域やその他の制御情報が記録された領域に前記ヘッダ領域のマークの形成有無を記録しうる。これにより、制御部６０はマークの形成有無を確認しうる。
【００５６】
ヘッダ領域にマークが形成されていない場合、制御部６０は光記録/検出部６３が所定の記録パワーでウォッブルトラック及びウォッブルヘッダトラックに各々データ及びマークを記録するように制御し、これにより所定の記録パワーを通じてデータ及びマークが記録される(第１２０２段階)。
【００５７】
ヘッダ領域にマークが形成されている場合、制御部６０は使用者データ領域で光記録/検出部６３が所定の記録パワーでウォッブルトラックにデータを記録するように制御し、これにより所定の記録パワーによりデータが記録される(第１２０３段階)。また、制御部６０はヘッダ領域が検出されると光記録/検出部６３をして記録パワーを再生パワーに低めるように制御し、これにより、光記録/検出部６３は再生パワーでデータを記録せずヘッダ領域、すなわちウォッブルヘッダトラックを通過する(第１２０４段階)。本実施形態でも同様に通過パワーは再生パワーとなり、通過パワーは記録パワーより低い値のうち必要に応じて多様に選択されうる。
【００５８】
図１３（ａ），図１３（ｂ）及び図１４（ａ），図１４（ｂ）は図１２に開示された記録方法による記録パワーと通過パワーとの関係を説明するための参考図である。
【００５９】
図１３（ａ），図１３（ｂ）を参照すれば、使用者データ領域に形成されたウォッブルトラックには低周波のシングルウォッブル信号が記録されており、ヘッダ領域に形成されたウォッブルヘッダトラックには高周波のウォッブルヘッダ信号が記録されている。あわせて、ウォッブルヘッダトラックのランドまたはグルーブにはマークが形成されている。
【００６０】
記録装置６がウォッブルヘッダトラックにマークが形成されていない光ディスクに最初にデータを記録する場合(フォーマットする場合など)にはウォッブルトラックはもとよりウォッブルヘッダトラックにも相変化を通じてデータまたはマークを記録しなければならない。したがって、記録パワーPwは、使用者データ領域またはヘッダ領域に各々データまたはマークが記録される時の光記録/読出部６３からの出力である。
【００６１】
図１４（ａ），図１４（ｂ）を参照すれば、ウォッブルヘッダトラックにマークが形成されている場合、図１０（ａ），図１０（ｂ）の説明と同じ理由で記録装置がヘッダ領域を通過する時、光記録/読出部６３から出力される通過パワーは記録パワーPwより低い再生パワーPrと同一であることがわかる。
【００６２】
［発明の効果］
前述したように、本発明によれば、ヘッダ領域の物理的な形状がさらに均一になることで記録時の光量の減少現象が防止される光記録媒体、その記録装置及び記録方法が提供される。さらに、本発明による光記録媒体に使用者データを記録する時、ヘッダ領域に対する記録パワーを再生パワーに低くすることによってヘッダ領域の劣化を防止しうる。
【図面の簡単な説明】
【００６３】
【図１】従来の光ディスクの概略図である。
【図２Ａ】従来の光ディスクのヘッダ領域の例である。
【図２Ｂ】従来の光ディスクのヘッダ領域の例である。
【図２Ｃ】従来の光ディスクのヘッダ領域の例である。
【図２Ｄ】従来の光ディスクのヘッダ領域の例である。
【図３Ａ】反射光量の減少をシミュレーションするための構成図である。
【図３Ｂ】反射光量の減少をシミュレーションするための構成図である。
【図３Ｃ】反射光量の減少をシミュレーションするための構成図である。
【図３Ｄ】反射光量の減少をシミュレーションするための構成図である。
【図４Ａ】反射光量の減少を実測するための構成図である。
【図４Ｂ】反射光量の減少を実測するための構成図である。
【図４Ｃ】反射光量の減少を実測するための構成図である。
【図５】図３及び図４の結果を示すグラフである。
【図６】本発明の望ましい実施形態に係る記録装置のブロック図である。
【図７】本発明の望ましい実施形態に係る光ディスクの概略図である。
【図８】本発明の一実施形態に係る図７の部分詳細図である。
【図９】本発明の一実施形態に係るデータ記録方法を説明するためのフローチャートである。
【図１０】（ａ）図９のデータ記録方法による記録パワーと通過パワーとの関係を説明するための参考図である。（ｂ）図９のデータ記録方法による記録パワーと通過パワーとの関係を説明するための参考図である。
【図１１】本発明の他の実施形態に係る図７の部分詳細図である。
【図１２】本発明の他の実施形態に係るデータ記録方法を説明するためのフローチャートである。
【図１３】（ａ）図９のデータ記録方法を説明するための参考図である。（ｂ）図９のデータ記録方法を説明するための参考図である。
【図１４】（ａ）図９のデータ記録方法による記録パワーと通過パワーとの関係を説明するための参考図である。（ｂ）図９のデータ記録方法による記録パワーと通過パワーとの関係を説明するための参考図である。
【符号の説明】
【００６４】
６０ 制御部
６１ レーザー発生部
６２ EO変調部 
【図１】
2005122882.tif 000005
【図２Ａ】
2005122882.tif 000006
【図２Ｂ】
2005122882.tif 000007
【図２Ｃ】
2005122882.tif 000008
【図２Ｄ】
2005122882.tif 000009
【図３Ａ】
2005122882.tif 000010
【図３Ｂ】
2005122882.tif 000011
【図３Ｃ】
2005122882.tif 000012
【図３Ｄ】
2005122882.tif 000013
【図４Ａ】
2005122882.tif 000014
【図４Ｂ】
2005122882.tif 000015
【図４Ｃ】
2005122882.tif 000016
【図５】
2005122882.tif 000017
【図６】
2005122882.tif 000018
【図７】
2005122882.tif 000019
【図８】
2005122882.tif 000020
【図９】
2005122882.tif 000021
【図１０】
2005122882.tif 000022
【図１１】
2005122882.tif 000023
【図１２】
2005122882.tif 000024
【図１３】
2005122882.tif 000025
【図１４】
2005122882.tif 000026